(57)【要約】【課題】アスベスト等の対象物の除去時の作業性を高めることができる除去装置および除去方法等を提供する。【解決手段】除去装置１は、研磨面を研磨して研磨面上のアスベストを含む吹付材を除去するものであり、研磨部１０、取付部２０、フレキシブルシャフト３０、モーター４１、過負荷防止装置４２等を有する。研磨部１０は、回転軸を中心として回転可能であり、回転軸と略直交する方向に延びその先端で研磨を行うためのブラシを有する。フレキシブルシャフト３０は、モーター４１の回転を研磨部１０に伝達する。過負荷防止装置４２はモーター４１の過負荷を防止するためのものである。モーター４１や過負荷防止装置４２は、防塵ボックス４０内に配置されている。【選択図】図１
2018204385.tif 000002
【特許請求の範囲】
【請求項１】
対象物を除去する除去装置であって、
回転軸を中心として回転可能であり、回転軸と略直交する方向に延びその先端で研磨を行うブラシを有する研磨部と、
モーターの回転を前記研磨部に伝達するためのフレキシブルシャフトと、
前記モーターの過負荷を防止するための過負荷防止装置と、
を有することを特徴とする除去装置。
【請求項２】
前記モーターがケース内に配置されていることを特徴とする請求項１記載の除去装置。
【請求項３】
前記研磨部を取付けるための取付部を有し、
前記取付部は複数の部材により構成され、
隣り合う部材が成す角度が可変であることを特徴とする請求項１または請求項２記載の除去装置。
【請求項４】
前記研磨部により研磨を行う研磨面を照明するための照明装置が設けられたことを特徴とする請求項１から請求項３のいずれかに記載の除去装置。
【請求項５】
請求項１から請求項４のいずれかに記載の除去装置を用い、研磨面を研磨して前記研磨面上の前記対象物を除去することを特徴とする除去方法。
【請求項６】
前記研磨面上の前記対象物を取り除いた後、前記除去装置による前記研磨面の研磨を行い、残った前記対象物を除去することを特徴とする請求項５に記載の除去方法。
【請求項７】
前記対象物はアスベストを含むことを特徴とする請求項５または請求項６に記載の除去方法。
【発明の詳細な説明】
【技術分野】
【０００１】
本発明は、対象物の除去に用いる除去装置、およびこれを用いた除去方法に関する。
【背景技術】
【０００２】
耐火等を目的として天井、梁などに吹付けられたアスベストを除去する際、従来は電動ピック等でアスベストをハツリ落とした後、不織布に研磨砥粒を接着させた研磨剤製品やワイヤブラシのようなものを用いて人力による研磨を行い、残ったアスベストを除去している。
【０００３】
しかし、人力による研磨は効率が悪く、その代わりに研磨用の電動工具を用いることもある。特許文献１には、このような電動工具として、スカート状にブラシを植設したブラシ部を回転させ、その下面でアスベストをこすりとるものが記載されている。
【先行技術文献】
【特許文献】
【０００４】
【特許文献１】特開平3-235877号公報
【発明の概要】
【発明が解決しようとする課題】
【０００５】
しかしながら、研磨作業時には大量の粉塵が発生して作業環境が劣悪になりがちであり、粉塵が電動工具のモーターに入って故障しやすい。
【０００６】
また従来の電動工具は、ブラシ部を研磨面にあてがった際に研磨面とブラシ部の摩擦範囲が大きくなるので、摩擦抵抗が増えて作業者に掛かる負担が大きく、装置を細かく動かすなどの制御がし辛かった。またボルトの密集部分など研磨面が凹凸形状となっている場合に凹部の研磨が難しく、作業性が悪かった。
【０００７】
本発明は上記の問題に鑑みてなされたものであり、アスベスト等の対象物の除去時の作業性を高めることができる除去装置および除去方法等を提供することを目的とする。
【課題を解決するための手段】
【０００８】
前述した課題を解決するための第１の発明は、対象物を除去する除去装置であって、回転軸を中心として回転可能であり、回転軸と略直交する方向に延びその先端で対象物を研磨するためのブラシを有する研磨部と、モーターの回転を前記研磨部に伝達するためのフレキシブルシャフトと、前記モーターの過負荷を防止するための過負荷防止装置と、を有することを特徴とする除去装置である。
【０００９】
本発明では、回転軸と略直交する方向に延びるブラシの先端で研磨を行い研磨面上の対象物を除去するので、入隅部などの細かな部分や凹部の深くまでブラシが届き、従来の電動工具に比べて細かな研磨が可能となる。また、ブラシを研磨面にあてがった際の研磨面とブラシの摩擦範囲が従来の電動工具に比べて小さく、摩擦抵抗が減って制御し易くなる。
【００１０】
さらに、本発明では長尺のフレキシブルシャフトを用いることで、研磨部から離隔した位置にあるモーターの回転を研磨部に伝達することができ、研磨部とモーターを物理的に離すことにより、研磨時の粉塵がモーターに入らないようにできる。さらに、研磨部を狭隘な箇所に差し込んで研磨作業をすることが可能となるので、このようなケースで従来は後工程となっていた研磨作業を先行して行うことが可能になる。
【００１１】
さらに、本発明ではモーターに過度な負荷が掛かった際に過負荷防止装置によりモーターを停止することができる。フレキシブルシャフトでは、研磨部への抵抗が大きくなった場合に作業者への巻付きなどの危険があるが、本発明ではこのようなケースで過負荷防止装置がモーターを停止するので、巻付き等の危険を回避できる。
【００１２】
前記モーターがケース内に配置されることが望ましい。
これにより、粉塵がモーターに入るのをより確実に防止することができる。
【００１３】
本発明の除去装置は、前記研磨部を取付けるための取付部を有し、前記取付部は複数の部材により構成され、隣り合う部材が成す角度が可変であることが望ましい。
これにより、研磨面の傾斜に応じて研磨部の角度を設定し、ブラシ先端の通過面を研磨面に合わせることで作業効率が向上し、作業性も良くなる。
【００１４】
前記研磨部により研磨を行う研磨面を照明するための照明装置が設けられることが望ましい。
これにより、研磨面の視認性を高め、研磨作業を好適に行うことができる。
【００１５】
第２の発明は、第１の発明の除去装置を用い、研磨面を研磨して前記研磨面上の前記対象物を除去することを特徴とする除去方法である。
【００１６】
第２の発明は、第１の発明の除去装置を用いた対象物の除去方法である。
【００１７】
前記研磨面上の前記対象物を取り除いた後、前記除去装置による前記研磨面の研磨を行い、残った前記対象物を除去することが望ましい。
吹付材等が厚く形成されているケースでは、これを電動ピックや切断装置等を用いて取り除いた後、研磨面の研磨を行い、残った吹付材等を除去するとよい。
【００１８】
前記対象物は、例えばアスベストを含むものである。
本発明では、有害な粉塵の生じやすいアスベストを含む吹付材等の除去作業を、上記の除去装置を用いて好適に行うことができる。
【発明の効果】
【００１９】
本発明により、アスベスト等の対象物の除去時の作業性を高めることができる除去装置および除去方法等を提供することができる。
【図面の簡単な説明】
【００２０】
【図１】除去装置１を示す図。
【図２】吹付材２００の除去方法を示す図。
【図３】研磨部１０を示す図。
【図４】ブラシ１１による研磨について示す図。
【図５】除去装置１の使用状態について示す図。
【図６】取付部２０を示す図。
【図７】取付部２０を示す図。
【図８】除去装置１ａを示す図。
【図９】除去装置１ｂを示す図。
【発明を実施するための形態】
【００２１】
以下、図面に基づいて本発明の好適な実施形態について詳細に説明する。
【００２２】
図１は本発明の実施形態に係る除去装置１の概略を示す図である。この除去装置１はアスベストを含む吹付材（対象物）を研磨除去するものである。除去装置１は、図２（ａ）に示すように研磨面１００上に厚く形成された吹付材２００を電動ピック等でハツリ落としたり、切断装置等で切断したりして取り除いた後、図２（ｂ）に示すように研磨面１００上に残った吹付材２００を、研磨面１００を研磨することにより図２（ｃ）に示すように除去する際に用いられる。
【００２３】
図１に示すように、除去装置１は、研磨部１０、取付部２０、フレキシブルシャフト３０、モーター４１、過負荷防止装置４２等を有する。
【００２４】
研磨部１０は、回転することにより研磨面１００を研磨し、研磨面１００上の吹付材２００をこすりとって除去するものである。
【００２５】
図３は研磨部１０を示す図であり、図３（ａ）は研磨部１０の正面、図３（ｂ）は研磨部１０の側面を見たものである。図３に示すように、研磨部１０は、ブラシ１１、円柱体１２等を有する。
【００２６】
ブラシ１１は円柱体１２の外側に植設される。円柱体１２はフレキシブルシャフト３０に接続され、その中心軸を回転軸１２１として回転する。ブラシ１１はこの回転軸１２１と略直交する方向に延び、円柱体１２が回転した際にその先端で研磨面１００を研磨する。なお、図３の例では円柱体１２の周方向の一部でブラシ１１が設けられていないが、円柱体１２の全周にブラシを設けたものを用いることもできる。
【００２７】
本実施形態では、ブラシ１１としてナイロン等の樹脂製のブラシを用いる。これにより、図４に示すようにブラシ１１が研磨面１００に当たった際に屈曲して広くなじみ、広い範囲での研磨が可能となり効率が良い。ただし、ブラシの種類はこれに限らず、金属製のワイヤブラシ、研磨剤を練り込んだナイロン等の樹脂によるブラシなどを用いることも可能である。また、本実施形態のブラシ１１は直線状に延びるが、くの字に曲げられた金属製のブラシの先端を研磨して刃先を形成したものを用いることも可能である。その他、歯車形状を有するゴム製のブラシ等も用いることができる。
【００２８】
図１の説明に戻る。取付部２０は研磨部１０を取付ける部分であり、複数のフレーム２１（部材）を蝶番等の回転機構で接続した構成を有する。
【００２９】
隣り合うフレーム２１は回転機構によって相対回転可能であり、両フレーム２１が成す角度が可変である。本実施形態では、この角度を所定値に調整し、取付部２０を直線状から折れ曲がった状態とすることで、図５のように研磨部１０の角度を適切に設定してブラシ先端の通過面Ｐ（図３（ｂ）参照）を研磨面１００の傾斜に合わせることができる。
【００３０】
取付部２０では、上記の角度を所定値に調整した状態で固定するための固定具２２も設けられる。固定具２２には、例えばネジを蝶番の両側から締め込むことによって蝶番を固定するものが用いられる。
【００３１】
図６、７はフレーム２１を示す図であり、図６はフレーム２１を上から見たもの、図７はフレーム２１を側方から見たものである。なお、図７は前記のように隣り合うフレーム２１が成す角度を調整し、取付部２０を折り曲げた状態を示している。
【００３２】
取付部２０のフレーム２１の内側には、フレキシブルシャフト３０が可とう性を有するチューブ３３内に配置された状態で通される。
【００３３】
本実施形態では、前方のフレーム２１（図６、７の左側のフレーム２１）の上面の後部に略ロの字形の上部部材２１１が固定されており、この上部部材２１１が、図７に示すように後方のフレーム２１（図６、７の右側のフレーム２１）の上部に配置されたストッパー２１２に当接している。なお、「前」とは研磨部１０に近い方をいい、「後」とはその逆をいうものとする。
【００３４】
上記のストッパー２１２は、後方のフレーム２１の上面に配置された上部部材２１３の前端から立ち上がるように設けられる。図６に示すように上部部材２１３は略ロの字形であり、その両側に前後方向の長孔２１４が設けられる。
【００３５】
後方のフレーム２１にはこの長孔２１４を通るボルト２１６が取付けられており、当該ボルト２１６を押え材２１５の孔（不図示）に通し、ボルト２１６の上端からナット２１７を締め込むことにより、押え材２１５によって上部部材２１３を押え、上部部材２１３の位置ひいてはストッパー２１２の位置を固定できる。
【００３６】
本実施形態では、固定具２２によって隣り合うフレーム２１が成す角度を所定値とした状態で固定するほか、図７に示すように上部部材２１１がストッパー２１２に当接することで、研磨時に上記の角度が元に戻る（フレーム２１が直線状に並んだ状態に戻る）のを防ぐことができる。
【００３７】
また、押え材２１５等によって上部部材２１３の位置を固定することで、研磨作業中の振動に対してストッパー２１２がずれないようにできる。ストッパー２１２の位置は、上部部材２１３の位置を長孔２１４に沿って前後にスライドさせることで、上記の角度に応じて適切な位置に定めることができる。
【００３８】
図１の説明に戻る。フレキシブルシャフト３０は、モーター４１の回転を研磨部１０に伝達するものであり、コイル状の長尺の鋼線等により構成される。長尺のフレキシブルシャフト３０を設けることにより、研磨部１０とモーター４１の位置を物理的に離し、研磨時の粉塵がモーター４１に入らないようにすることが可能になる。
【００３９】
フレキシブルシャフト３０は、取付部２０からハンドル３２後方までの間では剛性を有するアルミ等の金属製の筒体３１内に挿通され、それよりモーター４１側では可とう性を有するチューブ３４内に挿通される。ハンドル３２は作業補助のため筒体３１に設けられる。その他、長時間に亘って作業を行う際の作業性を考慮し、筒体３１に肩掛けなどを設けることも可能である。
【００４０】
前記のモーター４１は防塵ボックス４０（ケース）内に配置されており、これにより防塵効果をさらに高め、研磨時の粉塵がモーター４１に入るのをより確実に防止できる。防塵ボックス４０には移動用のキャスター等を設けることも可能である。また放熱等のため防塵ボックス４０に開口を設ける場合は、その開口に防塵用のフィルター等を設けることもできる。
【００４１】
防塵ボックス４０内では、電源（不図示）とモーター４１間の配線に過負荷防止装置４２も設けられる。過負荷防止装置４２は、モーター４１に所定の負荷が掛かった際にモーター４１への電力供給を遮断するものである。フレキシブルシャフト３０は、研磨部１０への抵抗が大きくなった場合に暴れて作業者への巻付きなどの危険があるが、本実施形態ではそのような場合にモーター４１が停止するので、フレキシブルシャフト３０の巻付きなどの危険を低減できる。
【００４２】
以上説明したように、本実施形態では回転軸１２１と略直交する方向に延びるブラシ１１の先端で研磨を行い研磨面１００上の吹付材２００を除去するので、入隅部などの細かな部分や凹部の深くまでブラシ１１が届き、従来の電動工具に比べて細かな研磨が可能となる。また、ブラシ１１を研磨面１００にあてがった際の研磨面１００とブラシ１１の摩擦範囲が従来の電動工具に比べて小さく、摩擦抵抗が減って制御し易くなる。
【００４３】
さらに、本実施形態では長尺のフレキシブルシャフト３０を用いることで、研磨部１０から離隔した位置にあるモーター４１の回転を研磨部１０に伝達することができ、研磨部１０とモーター４１を物理的に離すことにより、研磨時の粉塵がモーター４１に入らないようにできる。また、図５のように床面から高所の研磨が可能となり、高所作業用の足場が不要となる利点もある。加えて、研磨部１０を狭隘な箇所に差し込んで研磨作業をすることが可能となるので、このようなケースで従来は部分的な解体等を行った後の後工程となっていた研磨作業を先行して行うことが可能になる。
【００４４】
さらに、本実施形態ではモーター４１に過度な負荷が掛かった際に過負荷防止装置４２によりモーター４１を停止することができる。フレキシブルシャフト３０では、研磨部１０への抵抗が大きくなった場合に作業者への巻付きなどの危険があるが、本実施形態ではこのようなケースで過負荷防止装置４２がモーター４１を停止するので、巻付き等の危険を回避できる。
【００４５】
また、本実施形態ではモーター４１が防塵ボックス４０内に配置されるので、粉塵がモーター４１に入るのをより確実に防止することができる。
【００４６】
また、本実施形態では取付部２０の隣り合うフレーム２１が成す角度が可変であるので、研磨面１００の傾斜に応じて研磨部１０の角度を設定し、ブラシ先端の通過面Ｐを研磨面１００に合わせることで作業効率が向上し、作業性も良くなる。
【００４７】
しかしながら、本発明はこれに限らない。例えば本実施形態では取付部２０が２つのフレーム２１を有し、隣り合うフレーム２１の成す角度が可変であるが、例えば図８の除去装置１ａの取付部２０ａに示すように、３つ以上のフレーム２１を設け、複数箇所で上記の角度を可変としてもよい。これにより、より様々な研磨面、作業環境に対して研磨作業を好適に行えるようになる。
【００４８】
例えば図８のようなケースでは、図１等で説明した除去装置１だとブラシ先端の通過面Ｐを研磨面１００に合わせるのが難しいが、取付部２０ａの複数箇所で角度が可変な除去装置１ａを用いる場合、これらの角度を調整してブラシ先端の通過面Ｐを研磨面１００に容易に合わせることができる。
【００４９】
また図９の除去装置１ｂに示すように、研磨部１０により研磨を行う研磨面１００を照明するための照明装置５０を設けることも可能である。これにより、研磨面１００の視認性を高め、研磨作業を好適に行うことができる。この他、研磨面１００を撮影するカメラや研磨面１００を視認し易くするための鏡等を設けることも可能である。
【００５０】
さらに、本実施形態では隣り合うフレーム２１間の１つの面内（図１に示す面内）における角度が調整可能であるが、略直交する２面内の角度を調整可能とし、例えば前方のフレーム２１が後方のフレーム２１に対して上下左右に回転できるようにしてもよい。
【００５１】
また、本実施形態では除去を行う対象物がアスベストを含む吹付材２００であるが、除去対象はこれに限らない。ただし、本実施形態に係る除去方法では、有害な粉塵の生じやすいアスベストを含む吹付材２００等の除去作業を、上記の除去装置１等を用いて好適に行うことができる。また、アスベスト以外の、各種法令で規定された有害化学物質を含む吹付材等の除去も、除去装置１等を用いて同様に行うことができる。
【００５２】
なお、前記した図２の例では研磨面１００上に厚く形成された吹付材２００を電動ピックや切断装置等で取り除いた後、残った吹付材２００の研磨除去を行っているが、場合によっては、電動ピックや切断装置等で吹付材２００を取り除くことなく直接吹付材２００の研磨除去を行うことも可能である。
【００５３】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５４】
１、１ａ、１ｂ：除去装置
１０、１０ａ：研磨部
１１：ブラシ
１２：円柱体
２０、２０ａ：取付部
２１：フレーム
２２：固定具
３０：フレキシブルシャフト
３１：筒体
３２：ハンドル
３３、３４：チューブ
４０：防塵ボックス
４１：モーター
４２：過負荷防止装置
５０：照明装置
１００：研磨面
１２１：回転軸
２００：吹付材
２１１、２１３：上部部材
２１２：ストッパー
２１４：長孔
２１５：押え材
２１６：ボルト
２１７：ナット
【図１】
2018204385.tif 000003
【図２】
2018204385.tif 000004
【図３】
2018204385.tif 000005
【図４】
2018204385.tif 000006
【図５】
2018204385.tif 000007
【図６】
2018204385.tif 000008
【図７】
2018204385.tif 000009
【図８】
2018204385.tif 000010
【図９】
2018204385.tif 000011